(57)【特許請求の範囲】
【請求項１】
実質的に縦長であり、その長手方向に前方部、排泄部対向部及び後方部に区分され、前記後方部の肌当接面側に、幅方向に延びる肌側粘着部を有しており、前記排泄部対向部の非肌当接面側に非肌側粘着部を有している吸収性物品と、これを個装する包装材とからなる吸収性物品の包装構造であって、
前記包装材は、その内面が剥離処理されており、
前記吸収性物品は、前記後方部の非肌当接面側の面と前記排泄部対向部における非肌当接面側の面とを重ね合わせて折り畳まれており、
前記包装材の左右両側縁部が、前記後方部が折り畳まれた前記吸収性物品の両側縁よりも外方に延出しており、
前記包装材の前後端縁同士を重ね合わせることが可能なように形成されており、
前記非肌側粘着部と重ね合わされた前記後方部における非肌当接面側の部分には剥離処理部が設けられており、前記非肌側粘着部の一部及び前記肌側粘着部が、前記包装材の内面に脱着自在に粘着されている吸収性物品の包装構造。
【請求項２】
実質的に縦長であり、その長手方向に前方部、排泄部対向部及び後方部に区分され、前記後方部の肌当接面側に、幅方向に延びる肌側粘着部を有しており、前記排泄部対向部又は前記排泄部対向部から後方部に至る非肌当接面側に非肌側粘着部を有している吸収性物品と、これを個装する包装材とからなる吸収性物品の包装構造であって、
前記包装材は、その内面が剥離処理されており、
前記吸収性物品は、前記後方部の非肌当接面側の面同士を重ね合わせて折り畳まれており、
前記包装材の左右両側縁部が、前記後方部が折り畳まれた前記吸収性物品の両側縁よりも外方に延出しており、
前記包装材の前後端縁同士を重ね合わせることが可能なように形成されており、
前記非肌側粘着部と重ね合わされた前記後方部における非肌当接面側の部分には剥離処理部が設けられており、前記非肌側粘着部の一部及び前記肌側粘着部が、前記包装材の内面に脱着自在に粘着されている吸収性物品の包装構造。
【請求項３】
前記包装材の前後端縁が、前記後方部が折り畳まれた前記吸収性物品の前後端縁よりも外方に延出しており、
前記吸収性物品の前記後端縁から外方に延出している前記包装材の部分が、前記内面を内側として前記排泄部対向部の上に折り重ねられ、前記前方部が、前記包装材と一体に、
肌当接面側を内側として、前記排泄部対向部の上に折り重ねられている請求項１又は２記載の吸収性物品の包装構造。
【請求項４】
前記包装材は、その左右両側縁部及び前端縁において封止されている請求項３記載の吸収性物品の包装構造。
【発明の詳細な説明】
【技術分野】
【０００１】
本発明は、吸収性物品の包装構造に関する。
【背景技術】
【０００２】
従来、生理用ナプキン等の吸収性物品の包装構造に関して、様々な提案がなされている。この種の吸収性物品の包装構造においては、吸収性物品の粘着部に脱着自在に接着される剥離紙又は包装材の使用量の低減が図られているものがある。
例えば、剥離紙を用いない吸収性物品の包装構造が提案されている（特許文献１）。
【０００３】
特許文献１には、吸収性物品の裏面に糊を塗布する第１工程と、該裏面に剥離性処理した帯状フィルムを重ねる第２工程と、第１折線で仮接着部分を肌当面側に折り返し糊のない部分に重なるフィルム部分をサニタリー用品から浮かせておく第３工程と、第２折線で仮接着部分を肌当面側に折り返す第４工程と、第３工程で浮かせておいたフィルム端部に糊を塗布し第４工程で折り返した部分と重ね帯状フィルムを形成する第５工程と、帯状フィルムをカットして製品を形成する第６工程とからなる吸収性物品の包装方法が開示されている。また、特許文献１には、裏面に糊を塗布し、三つ折りした吸収性物品が剥離性処理されている包装材としてのフィルムで密封包装されている吸収性物品の包装構造が開示されている。
【０００４】
【特許文献１】特開平５−１０３８１４号公報
【発明の開示】
【発明が解決しようとする課題】
【０００５】
特許文献１記載の吸収性物品の包装構造は、三つ折りにされた吸収性物品を、包装材と共に展開し、吸収性物品を包装材から取り外した後でないと、吸収性物品をショーツ等の下着の内側に固定して用いることができない。
【０００６】
従って、本発明の目的は、包装材の使用料が低減されており、且つ包装構造から吸収性物品を取り出して装着する際の操作性に優れた吸収性物品の包装構造を提供することにある。
【課題を解決するための手段】
【０００７】
本発明は、実質的に縦長であり、その長手方向に前方部、排泄部対向部及び後方部に区分され、前記後方部の肌当接面側に、幅方向に延びる肌側粘着部を有しており、前記排泄部対向部の非肌当接面側に非肌側粘着部を有している吸収性物品と、これを個装する包装材とからなる吸収性物品の包装構造であって、該包装材は、その内面が剥離処理されており、前記吸収性物品は、前記後方部の非肌当接面側の面と前記排泄部対向部における非肌当接面側の面とを重ね合わせて折り畳まれており、前記包装材の左右両側縁部が、前記後方部が折り畳まれた前記吸収性物品の両側縁よりも外方に延出しており、前記包装材の前後端縁同士を重ね合わせることが可能なように形成されている吸収性物品の包装構造を提供することにより、上記目的を達成したものである。
【０００８】
また、本発明は、実質的に縦長であり、その長手方向に前方部、排泄部対向部及び後方部に区分され、前記後方部の肌当接面側に、幅方向に延びる肌側粘着部を有しており、前記排泄部対向部又は前記排泄部対向部から後方部に至る非肌当接面側に非肌側粘着部を有している吸収性物品と、これを個装する包装材とからなる吸収性物品の包装構造であって、該包装材は、その内面が剥離処理されており、前記吸収性物品は、前記後方部の非肌当接面側の面同士を重ね合わせて折り畳まれており、前記包装材の左右両側縁部が、前記後方部が折り畳まれた前記吸収性物品の両側縁よりも外方に延出しており、前記包装材の前後端縁同士を重ね合わせることが可能なように形成されている吸収性物品の包装構造を提供することにより、上記目的を達成したものである。
【発明の効果】
【０００９】
本発明の吸収性物品の包装構造によれば、包装材が低減されており、且つ包装構造から吸収性物品を取り出して装着する際の操作性に優れている。
また、吸収性物品の後方部においては、吸収面側（肌当接面側）が向き合う形態で折られないため、包装時の折皺が形成されにくく、折皺を伝ってのもれが起こりにくい。
【発明を実施するための最良の形態】
【００１０】
以下、本発明の吸収性物品の包装構造をその好ましい実施形態に基づいて、図を参照しながら説明する。
【００１１】
第１実施形態の吸収性物品の包装構造１０は、図１〜図６に示すように、その長手方向に前方部Ａ、排泄部対向部Ｂ及び後方部Ｃに区分され、後方部Ｃの肌当接面側に、幅方向に延びる肌側粘着部５を有しており、排泄部対向部Ｂの非肌当接面側に非肌側粘着部７を有している吸収性物品としての生理用ナプキン１と、これを個装する包装材１１とからなる。
また、本実施形態の包装構造１０において、包装材１１は、その内面が剥離処理されており、ナプキン１は、図５及び図６に示すように、後方部Ｃの非肌当接面側の面と排泄部対向部Ｂにおける非肌当接面側の面とを重ね合わせて折り畳まれており、包装材１１の左右両側縁部１１ａ、１１ａが、後方部Ｃが折り畳まれたナプキン１の両側縁１ａ、１ａよりも外方に延出しており、包装材１１の前後端縁１１ｂ、１１ｃ同士を重ね合わせることが可能なように形成されている。
【００１２】
本実施形態の包装構造１０について、更に説明すると、ナプキン１は、図５及び図６に示すように、後方部Ｃが、その非肌当接面側の面と排泄部対向部Ｂにおける非肌当接面側の面とを重ね合わせて、該排泄部対向部Ｂの上に折り重ねられており、非肌側粘着部７と重ね合わされた後方部Ｃにおける非肌当接面側の部分には剥離処理部８が設けられている。
【００１３】
更に、ナプキン１における非肌側粘着部７の一部及び肌側粘着部５が、包装材１１の内面に脱着自在に粘着されており、包装材１１の前後端縁１１ｂ、１１ｃが、後方部Ｃが折り畳まれたナプキン１の前後端縁１ｂ、１ｃよりも外方に延出しており、ナプキン１の後端縁１ｃから外方に延出している包装材１１の部分が、その内面を内側として排泄部対向部Ｂの上に折り重ねられ、前方部Ａが、包装材１１と一体に、肌当接面側を内側として、排泄部対向部Ｂの上に折り重ねられている。本実施形態の包装構造１０において、ナプキン１は、図２に示すように、全体として、Ｚの字状に折り畳まれている。
【００１４】
本実施形態の包装構造１０に用いられるナプキン１は、図２に示すように、液透過性の表面シート２、液不透過性の裏面シート３及び両シート間に介在された液保持性の吸収体４を具備し、実質的に縦長である。
【００１５】
吸収体４は、縦長であり、その長手方向がナプキン１の長手方向と一致しており、表面シート２と裏面シート３との間に挟持固定されている。表面シート２及び裏面シート３それぞれは、吸収体４の長手方向前後端からそれぞれ延出し、その延出部分において互いにヒートシール等の公知の接合方法により接合されて、エンドシール部９を形成している。
【００１６】
ナプキン１は、その長手方向に前方部Ａ、該長手方向中央領域である排泄部対向部Ｂ（着用者の主として液排泄部に対向配置される排泄部対向領域を幅方向中央に有する部分）及び後方部Ｃ（着用者の主として臀部に対向配置される部分）に区分される。前方部Ａは、ナプキン着用時に、着用者の最も前側に位置する部位であり、後方部Ｃは、着用者の最も後側に位置する部位である。
【００１７】
次に、本実施形態のナプキン１における肌側粘着部５について、更に説明する。肌側粘着部５は、図３に示すように、ナプキン１における後縁端部Ｄの肌当接面側に、該後縁端部Ｄに沿って設けられている。後縁端部Ｄは、後方部Ｃの後方の部位である。
詳述すると、肌側粘着部５は、後方部Ｃにおけるエンドシール部９の内側に位置している。肌側粘着部５は、所定の幅を有した横長の帯形状であり、ナプキン幅方向の両端部間に亘り形成されている。肌側粘着部５は、エンドシール部９と同様にナプキン長手方向内方に凹に湾曲した形状を有している。
【００１８】
肌側粘着部５は、粘着剤が後縁端部Ｄの肌当接面側の面に部分的に塗布されて形成されており、ナプキン着用時には、着用者の臀部における肌に粘着される部位である。ナプキン１は、その後縁端部Ｄが、肌側粘着部５により着用者の肌に固定される。
肌側粘着部５を形成する粘着剤としては、ゲル粘着剤が好ましく、その組成物としては、例えば、特願２００３−３８５６２号公報又は特願２００３−３８５６３号公報の明細書に記載されているものが好ましい。
【００１９】
ナプキン着用時に、肌側粘着部５は、着用者の肌と粘着している。ナプキン１の肌当接面側の面と着用者の肌との間を、ナプキン１の後縁端部Ｄへ向って移動してきた体液は、肌側粘着部５により、それ以上の後方側への移動が防止されるので、ナプキン１は、後方部Ｃにおける防漏性が高められている。
【００２０】
また、ナプキン１は、図４に示すように、前方部Ａから排泄部対向部Ｂに亘って、非肌当接面側に非肌側粘着部７を有している。詳述すると、非肌側粘着部７は、縦長矩形であり、その長手方向がナプキン１の長手方向と一致している。非肌側粘着部７は、ナプキン１の幅方向中央部に形成されている。幅方向中央部は、ナプキン１の幅方向両端部を除いた部分である。尚、ナプキン１は、後方部Ｃの非肌当接面側には粘着部を有していない。
【００２１】
非肌側粘着部７は、ナプキン着用時にショーツの内側に粘着して、ナプキン１を固定するものであり、いわゆるズレ止め材である。
非肌側粘着部７は、例えば、粘着剤をナプキン１の非肌当接面側の面に塗布して形成することができる。この非肌側粘着部７を形成する粘着剤としては、従来から吸収性物品において用いられているものを特に制限なく用いることができる。
【００２２】
包装材１１は、図５に示すように、縦長矩形であり、その前端部には包装構造止着用の公知のタブテープ１２が設けられている。また、該包装材１１は、その内面全面あるいはナプキン１と当接した部分及びその周辺が剥離処理されており、剥離性を有するものである。尚、本発明においては、内面全面を剥離処理する必要はなく、その一部、例えば、内面の周縁部以外の部分のみ剥離処理してなるものを用いることもできる。
【００２３】
包装材１１の形成材料は、公知のものを特に制限なく用いることができるが、具体的には、厚さ５〜５０μｍのポリプロピレン、ポリエステル、ポリエチレン、ポリビニルアルコール、あるいは不織布や紙、及びこれらの複合材料等の包装材料が挙げられる。
【００２４】
また、剥離処理は、公知の手法を特に制限なく用いて行うことができるが、具体的には、包装材１１の内面全面に、剥離処理剤を塗布するか又は剥離テープ、剥離紙、剥離処理した不織布、剥離処理したポリエチレンラミネート紙若しくは剥離処理したポリエチレンフィルムを貼付する等して行うことができる。剥離処理剤あるいは剥離テープ及び剥離紙の剥離剤成分としてはシリコーン樹脂系、フッソ樹脂系、又はオクタデシルイソシアネート系等のものが好ましい。特に、剥離処理としては、剥離材成分として、シリコーン樹脂系のものを用いて、塗布して加熱乾燥、紫外線照射等で高分子量化するか、スプレーで吹きつけ薄い被膜を形成させる等することが好ましい。さらに、薄いポリオレフィンフィルムあるいはポリエステルフィルムを剥離処理し、包装材１１に熱あるいは超音波等により接合したものが、適度な剛性を有しており、開封し易く、また耐熱性に優れているため加工性に優れる。
【００２５】
ナプキン１は、包装構造１０において、折曲部Ｓ１及び折曲部Ｓ２それぞれにおいて折曲され、３つ折りに折り畳まれている。折曲部Ｓ１は、図３に示すように、排泄部対向部Ｂと後方部Ｃとの間に位置していることが好ましく、折曲部Ｓ２は、前方部Ａと排泄部対向部Ｂとの間に位置していることが好ましい。
【００２６】
後方部Ｃは、図５及び図６に示すように、折曲部Ｓ１において折曲され、その非肌当接面側の面と排泄部対向部Ｂにおける非肌当接面側の面とを当接させて、該排泄部対向部Ｂの上に折り重ねられている。非肌側粘着部７と当接された後方部Ｃにおける非肌当接面側の部分には剥離処理部８が設けられている。該剥離処理部８は、当接している非肌側粘着部７の部分と脱着自在に粘着されている。
【００２７】
剥離処理部８は、図４に示すように、後縁端部Ｄを含む後方部Ｃにおける非肌当接面側の面に設けられている。剥離処理部８は、ナプキン長手方向後方においては、ナプキン後端縁まで設けられており、ナプキン長手方向前方においては、折曲部Ｓ１から前方に延出して設けられている。非肌側粘着部７は、剥離処理部８の前端縁とやや離間した位置から、前方部Ａに向って延びている。
【００２８】
ナプキン１は、図５及び図６に示すように、剥離処理部８の部分に設けられた折曲部Ｓ１で折曲されており、非肌側粘着部７では折曲されていない。
剥離処理部８が、折曲部Ｓ１から前方へ延出している長さは、３０〜１５０ｍｍ、特に４０〜１２０ｍｍであることが好ましい。
【００２９】
剥離処理部８のナプキン幅方向の長さは、非肌側粘着部７の幅よりも大きく形成されている。剥離処理部８は、後方部Ｃと排泄部対向部Ｂとが当接された状態において、非肌側粘着部７が、剥離処理部８における幅方向の中央に当接するように配されている。
従って、後方部Ｃが排泄部対向部Ｂに対して、ナプキン幅方向に多少ずれて折曲された場合にも、非肌側粘着部７が剥離処理部８に必ず当接するようになっている。
また、ナプキン１が着用された場合には、剥離処理部８は、ショーツ等の下着（以下、単にショーツともいう）に対して滑り易くなっている。
【００３０】
剥離処理部８のナプキン幅方向の長さは、非肌側粘着部７の幅よりも、１０〜３０ｍｍ、特に１５〜２５ｍｍ大きく形成されていることが、前述した理由から好ましい。
【００３１】
剥離処理部８は、公知の手法を特に制限なく用いて形成することができるが、例えば、剥離処理がなされた粘着テープを貼り付けて形成することができる。
【００３２】
本実施形態の包装構造１０について、更に説明すると、ナプキン１における非肌側粘着部７の一部及び肌側粘着部５が、図５及び図６に示すように、包装材１１の内面に脱着自在に粘着されている。非肌側粘着部７は、その後方部Ｃに覆われていない部分が、包装材１１の内面に脱着自在に粘着されている。
【００３３】
後方部Ｃが折り畳まれたナプキン１の一方の面全体は、図５に示すように、包装材１１により保護されている。従って、包装材１１は、後方部Ｃが折り畳まれたナプキン１の長手方向を覆う程度の長さを有していれば良いので、使用する包装材１１の量が低減されている。
【００３４】
包装材１１の左右両側縁部１１ａ、１１ａそれぞれが、後方部Ｃが折り畳まれたナプキン１の側縁１ａ、１ａよりも外方に延出している長さは、５〜５０ｍｍ、特に１０〜４０ｍｍであることが、封止部を確実に得る上で好ましい。また、包装材１１の前端縁１１ｂが、後方部Ｃが折り畳まれたナプキン１の前端縁１ｂよりも外方に延出している長さは、２〜１５０ｍｍ、特に５〜５０ｍｍであることが、ナプキン１の前端縁を確実に包装し、包装構造を封止する上で好ましい。包装材１１の後端縁１１ｃが、後方部Ｃが折り畳まれたナプキン１の後端縁１ｃよりも外方に延出している場合の長さは、０〜１００ｍｍ、特に５〜６０ｍｍであることが、同様の理由から好ましい。また、図７（ａ）及び（ｂ）に示すように、肌側粘着部５からナプキン１の後端縁１ｃとの間に包装材１１の後端縁１１ｃがある場合には、後端縁１１ｃは、肌側粘着部５の後方端から５ｍｍ以上延出していることが好ましい。なお、図７（ａ）は、図７（ｂ）の包装状態を示す断面図である。
【００３５】
本実施形態の包装構造１０について、更にまた説明すると、ナプキン１の後端縁１ｃから外方に延出している包装材１１の部分が、その内面を内側として排泄部対向部Ｂの上に折り重ねられ、前方部Ａが、包装材１１と一体に、肌当接面側を内側として、排泄部対向部Ｂの上に折り重ねられており、包装材１１以外には、剥離紙のような別部材は用いられていない。
【００３６】
また、包装材１１は、図１に示すように、その左右両側縁部１１ａ、１１ａ及び前端縁１１ｂにおいて封止されている。左右両側縁部１１ａ、１１ａにおいては、ヒートシールにより封止されており、前端縁１１ｂにおいては、タブテープ１２により封止されている。また、上記の左右両側縁部１１ａ、１１ａにおいては、ヒートシールされているが、開封をより容易にするために、このヒートシールされた部分に沿ってミシン目を設けることも好ましい。
【００３７】
前述した本実施形態の包装構造１０は、上述の如く構成されているので、包装材１１とは別に剥離紙のような別部材を用いてなく、且つ包装材１１の使用量の低減が図られている。また、夜用等の大きな生理用ナプキンにおいても、コンパクトに包装できるため、包装構造がコンパクトであり、持ち運びも容易である。
【００３８】
次に、ナプキン１の使用に際して、本実施形態の生理用ナプキンの包装構造１０から、ナプキン１を取り出して、ショーツに固定する方法の一例を、図８及び図９を参照しながら、以下に説明する。
【００３９】
まず、ナプキン１の使用に際しては、タブテープ１２を引き剥がし、左右両側縁部１１ａ、１１ａのヒートシール部を引き剥がし（ミシン目を設けた場合には該ミシン目を引き離して）、排泄部対向部Ｂの上に折り重ねられている包装材１１の部分を開き、包装構造１を開封して、後方部Ｃが折り畳まれたナプキン１の後端部を指で摘んで、ナプキン１を包装材１１から取り出す。ここで、後方部Ｃが折り畳まれたナプキン１の前記後端部は、図６において、肌側粘着部５よりも後方の部位である。
【００４０】
包装材１１から取り出されたナプキン１は、折曲部Ｓ１、Ｓ２における折り癖により折曲された状態にあるため、全体として、図８（ａ）に示すように、Ｚの字状に折り畳まれている。
【００４１】
次に、ナプキン１の前方部Ａにおける非肌側粘着部７の部分を、図８（ａ）に示すように、ショーツＰの内側に粘着し、ナプキン１の後端縁部Ｄにおけるエンドシール部９を指で摘んで、ショーツＰ上方へ向って引っ張り、図８（ｂ）に示すように、剥離処理部８と非肌側粘着部７とを脱着して、後方部Ｃを排泄部対向部Ｂから離間させる。
【００４２】
次いで、図８（ｃ）に示すように、排泄部対向部Ｂにおける非肌側粘着部７をショーツＰに粘着した後、図８（ｄ）に示すように、後方部ＣをショーツＰに倒して、ナプキン１をショーツＰに固定する。
【００４３】
前述したようにナプキン１は、包装材１１から折り畳まれたまま取り出して、展開しながら容易にショーツＰに固定することができる。
また、ショーツＰに固定されたナプキン１は、着用時には、図９に示すように、身体の動きが比較的大きい臀部においては、後方部Ｃにおける肌当接面側が、肌側粘着部５により着用者の肌に粘着されており且つ非肌当接面側を、剥離処理部８によりショーツＰに対して滑り易くして、着用者の身体の動きに十分に追従するようになっている。また、身体の動きが比較的小さい排泄部においては、前方部Ａ及び排泄部対向部Ｂにおける非肌当接面側が非肌側粘着部７によりショーツＰに粘着されており、着用者の肌と密着するようになっている。
【００４４】
次に第２実施形態の吸収性物品の包装構造１０を、図１０を参照しながら説明する。第２実施形態について、特に説明しない点については、第１実施形態に関して詳述した説明が適宜適用される。また、図１０において、図１〜図９と同じ部材に同じ符号を付してある。
【００４５】
本実施形態の好ましい第２実施形態の包装構造１０において、ナプキン１は、図１０（ａ）及び（ｂ）に示すように、後方部Ｃの非肌当接面側の面同士を重ね合わせて折り畳まれている。また、後方部Ｃが折り畳まれているナプキン１の後端縁１Ｃは、包装材１１の後端縁１１Ｃよりも外方に延出している。
【００４６】
本実施形態の包装構造１０について、更に説明すると、後方部Ｃは、図１０（ｂ）に示すように、ナプキン長手方向において、前側部α及び後側部βに区分される。ナプキン１の後方部Ｃは、後側部βの肌当接面側の面と前側部αの肌当接面側の面とが脱着自在に粘着されて、折り畳まれている。
【００４７】
ナプキン１は、排泄部対向部Ｂから後方部Ｃの前側部αに至る非肌当接面側に、非肌側粘着部７を有しており、非肌側粘着部７と重ね合わされた後方部Ｃの後側部βにおける非肌当接面側の部分には剥離処理部８が設けられている。
また、ナプキン１の後側部βの肌当接面側には、第１実施形態と同様に肌側粘着部５が形成されている。
【００４８】
ナプキン１は、前側部αと後側部βとの境部分で、ナプキン長手方向に折り畳まれている。本実施形態において、前側部α及び後側部βそれぞれのナプキン長手方向における長さは同じである。前側部αと後側部βとの境界部分には、非肌側粘着部７及び剥離処理部８は、ともに形成されていない。
【００４９】
本実施形態のナプキン１において、非肌側粘着部７は、図１０に示すように、排泄部対向部Ｂから後方部Ｃの前側部αに至る非肌当接面側に形成されているが、非肌側粘着部７は、排泄部対向部Ｂの非肌当接面側のみに形成されていても良い。このように、前側部αにおいて非肌側粘着部７が形成されていない場合には、後側部βの剥離処理部８は形成されていなくても良い。
【００５０】
本実施形態において、前側部α及び後側部βからなる後方部Ｃの長手方向の長さは、２０〜１２０ｍｍが好ましい。包装材１１は、後側部βに形成されている肌側粘着部５の後端を覆う程度の長さであれば良く、夜用ナプキン等の長さの長いナプキンに使用した場合、包装材料を一層削減できる。
【００５１】
さらに、夜用ナプキンのような長い生理用ナプキンでは、前側部αと後側部βとの間の折りたたみ部は、吸収面を頂部とした山折形態となるため、従来のナプキンのような幾筋も幅方向に延びる折りたたみ線が形成されず、後方での側部モレ（排泄部からは斜め後方モレ）を防止することができる。
【００５２】
本発明の吸収性物品の包装構造は、前述した実施形態に制限されることなく、本発明の趣旨を逸脱しない限り適宜変更が可能である。
例えば、包装構造に用いられる吸収性物品は、生理用ナプキンであっても良いが、パンティライナー又は失禁パッド等であっても良い。
【００５３】
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００５４】
【図１】図１は、本発明における吸収性物品の包装構造の第１実施形態を示す斜視図である。
【図２】図２は、図１のＸ−Ｘ線断面図である。
【図３】図３は、第１実施形態に用いられている生理用ナプキンの肌当接面側を示す平面図である。
【図４】図４は、第１実施形態に用いられている生理用ナプキンの非肌当接面側を示す平面図である。
【図５】図５は、後方部を折り畳んだ生理用ナプキンを包装材に当接させた状態を示す平面図（包装構造の展開状態）である。
【図６】図６は、図５のＹ−Ｙ線断面図である。
【図７】図７（ａ）及び（ｂ）は、第１実施形態に示す吸収性物品の包装構造の変形例を示しており、（ａ）は図６に相当する断面図であり、（ｂ）は図２に相当する断面図である。
【図８】図８（ａ）〜（ｄ）は、包装材から取り出した生理用ナプキンをショーツに固定して着用する方法を示す摸式図である。
【図９】図９は、本実施形態に用いられている生理用ナプキンを着用した状態を示す摸式図である。
【図１０】図１０（ａ）及び（ｂ）は、本発明における吸収性物品の包装構造の第２実施形態を示しており、（ａ）は図５に相当する断面図であり、（ｂ）は図６に相当する断面図である。
【符号の説明】
【００５５】
１０      生理用ナプキンの包装構造（吸収性物品の包装構造）
１１      包装材
１１ａ      包装材の側縁
１１ｂ      包装材の前端縁
１１ｃ      包装材の後端縁
１２        タブテープ
１        生理用ナプキン（吸収性物品）
１ａ    側縁
１ｂ    前端縁
１ｃ    後方部が折り畳まれた状態の後端縁
２        表面シート
３        裏面シート
４        吸収体
５        肌側粘着部
７        非肌側粘着部
８        剥離処理部
９        エンドシール部
Ａ        前方部
Ｂ        排泄部対向部
Ｃ        後方部
Ｄ        後縁端部
Ｐ        ショーツ
Ｓ１        第１折曲部
Ｓ２        第２折曲部
【図１】
0004762057.tif 000002
【図２】
0004762057.tif 000003
【図３】
0004762057.tif 000004
【図４】
0004762057.tif 000005
【図５】
0004762057.tif 000006
【図６】
0004762057.tif 000007
【図７】
0004762057.tif 000008
【図８】
0004762057.tif 000009
【図９】
0004762057.tif 000010
【図１０】
0004762057.tif 000011